(57)【要約】【課題】本発明は、機械室の出入口を開閉する蓋が開けられていることを確実に検出する乗客コンベアの蓋検出装置を得ることを目的とする。【解決手段】乗客コンベアの蓋検出装置は、上階機械室又は下階機械室の出入口を蓋により開閉される乗客コンベアに設けられた蓋検出装置であって、蓋の機械室側の面に向けて光を発する発光装置と、発光装置が発する光を検出するように機械室に設けられた検出装置と、を備えるようにしたものである。【選択図】図３
2017019643.tif 000002
【特許請求の範囲】
【請求項１】
機械室の出入口を蓋により開閉される乗客コンベアに設けられた乗客コンベアの蓋検出装置であって、
前記蓋の前記機械室の側へ向けて光を発する発光装置と、
前記光を検出するように前記機械室に設けられた検出装置と、
を備えたことを特徴とする乗客コンベアの蓋検出装置。
【請求項２】
前記蓋に設けられて、前記光の向きを変える変更装置を備え、
前記検出装置は、向きが変えられた前記光を検出することを特徴とする請求項１に記載の乗客コンベアの蓋検出装置。
【請求項３】
前記機械室に設けられて、前記光の向きを変更する機械室変更装置を備え、
１の前記蓋に複数の前記変更装置が設けられ、
前記光の経路は、前記機械室変更装置の前後で前記変更装置を経由することを特徴とする請求項２に記載の乗客コンベアの蓋検出装置。
【請求項４】
前記機械室に設けられて、前記光の向きを変更する機械室変更装置を備え、
複数の前記蓋それぞれに前記変更装置が設けられ、
前記光は、それぞれの前記蓋に設けられた前記変更装置及び前記機械室変更装置を経由することを特徴とする請求項２に記載の乗客コンベアの蓋検出装置。
【発明の詳細な説明】
【技術分野】
【０００１】
本発明は、乗客コンベアの機械室出入口を開閉する蓋を検出する蓋検出装置に関するものである。
【背景技術】
【０００２】
従来の乗客コンベアでは、機械室の出入口を開閉する蓋の隣に蓋の方へ進退する梃子とリミットスイッチが設けられている。リミットスイッチは乗客コンベアの運転を制御する制御装置につながれている。出入口の蓋を閉じている場合は、梃子はリミットスイッチをオフにし、制御装置は通常運転モードになる。保守などのために蓋を開いた場合は、梃子はリミットスイッチをオンにし、制御装置は保守運転モードになる。保守運転モードになると保守員は機械室に入って安全に作業できる。（例えば、特許文献１参照）
【先行技術文献】
【特許文献】
【０００３】
【特許文献１】特開２０１４−６５５４６
【発明の概要】
【発明が解決しようとする課題】
【０００４】
しかしながら、保守を行うために蓋を開いていても、例えば保守に用いる工具などが偶然に梃子に触れてリミットスイッチをオフにすると、保守運転モードから通常運転モードに切り替わってしまうという課題があった。
【０００５】
本発明は、かかる課題を解決するためになされたもので、機械室の出入口を開閉する蓋が開けられていることを確実に検出する乗客コンベアの蓋検出装置を得ることを目的とする。
【課題を解決するための手段】
【０００６】
本発明に係る乗客コンベアの蓋検出装置は、機械室の出入口を蓋により開閉される乗客コンベアに設けられた乗客コンベアの蓋検出装置であって、蓋の機械室の側へ向けて光を発する発光装置と、光を検出するように機械室に設けられた検出装置と、を備えている。
【０００７】
本発明によれば、機械室の出入口の蓋を開けると、蓋の機械室の側へ向けて発せられた光は機械室の外へ出てしまうので、機械室に設けられた検出装置は光を検出しなくなる。これにより蓋が開いていることを検出できる。
【発明の効果】
【０００８】
本発明によれば、機械室の出入口を開閉する蓋が開けられていることを確実に検出する乗客コンベアの蓋検出装置を得ることができる。
【図面の簡単な説明】
【０００９】
【図１】本発明の実施の形態１によるエスカレーターの全体構成を示す図である。
【図２】図１のエスカレーターの上階機械室と下階機械室の構成を示すブロック図である。
【図３】図１のエスカレーターの上階機械室を示す拡大図である。
【図４】図３に示す矢視ＩＩで、蓋を省略して上階機械室内の配置を示す説明図である。
【図５】図３の上階機械室の蓋をずらした状態を示す説明図である。
【図６】図３の上階機械室に保守員が入った状態を示す説明図である。
【発明を実施するための形態】
【００１０】
実施の形態１．
本発明の一実施の形態を図１〜６により説明する。図１は本発明の実施の形態１によるエスカレーターの全体構成を示す図である。図２は図１のエスカレーターの上階機械室と下階機械室の構成を示すブロック図である。図３は図１のエスカレーターの上階機械室を示す拡大図である。図４は図３に示す矢視ＩＩで、蓋を省略して上階機械室内の配置を示す説明図である。図５は図３の上階機械室の蓋をずらした状態を示す説明図である。図６は図３の上階機械室に保守員が入った状態を示す説明図である。
【００１１】
図において、エスカレーター１の本体９が上階床２から下階床３に渡って設けられている。本体９には複数の踏段（図示せず）が無端状に連結されて設けられ、上階と下階それぞれの乗降口５，６の間を循環移動される。本体９の上階側の端には、上階機械室７が設けられ、下階側の端には、下階機械室８が設けられている。
【００１２】
上階機械室７と下階機械室８には、それぞれの乗降口５，６側、つまり、それぞれの機械室の上側に出入口１０，１１が設けられている。それぞれの出入口１０，１１には１枚の板状の蓋１２，１３が、例えば締結具（図示せず）により取り付けられている。締結具を外すことにより蓋１２，１３は取り外すことができる。蓋１２，１３の取り付け、取り外しにより出入口１０，１１は閉じられたり、開けられたりする。例えば保守のときに蓋１２，１３を開けて、保守員が出入りしたり、機器を出入れしたりする。蓋１２，１３それぞれは、乗降口５，６の床板を兼ねている。
【００１３】
それぞれの機械室にはエスカレーター１を駆動するための駆動装置（図示せず）が収納されており、上階機械室７に設置された制御装置１４によって制御されている。上階機械室７には、蓋１２が閉じられているか、開かれているかを検出する蓋検出装置１５が設けられている。下階機械室８には、蓋１３が閉じられているか、開かれているかを検出する蓋検出装置１６が設けられている。
【００１４】
図３において、上階機械室７の床７ａには、発光装置１７、検出装置１８、機械室変更装置１９が設けられている。図２に示すように、発光装置１７、検出装置１８は、制御装置１４と接続されている。発光装置１７は制御装置１４に制御されて光を発する。発光装置１７が発した光が検出装置１８まで届いた場合は、光は検出装置１８によって検出される。光の検出状況の情報は検出装置１８から制御装置１４へ伝えられる。制御装置１４は受け取った情報に応じて、例えば、通常の運転を行ったり、運転を停止したりエスカレーター１を制御する。
【００１５】
蓋１２の機械室の側には、１枚の蓋１２に２台の変更装置２０，２１が取り付けられている。変更装置２０，２１と機械室変更装置１９は、発光装置１７の発する光を受けて光の向きを変える。変更装置２０，２１、機械室変更装置１９は、例えば反射部材を用いて構成されている。発光装置１７は、蓋１２の機械室の側へ向けて光を発するように設置されている。
【００１６】
変更装置２０は、発光装置１７の発した光を直接受けて機械室変更装置１９の方へ光の向きを変えるように蓋１２に設置されている。機械室変更装置１９は、変更装置２０を経由してきた光を受けて変更装置２１の方へ光の向きを変えるように床７ａに設置されている。変更装置２１は、機械室変更装置１９を経由してきた光を受けて検出装置１８の方へ光の向きを変えるように蓋１２に設置されている。検出装置１８は、変更装置２１を経由してきた光を受けて検出するように床７ａに設置されている。
【００１７】
図４に示すように、機械室変更装置１９が上階機械室７の中央部に配置され、機械室変更装置１９の四方の隅に、発光装置１７と検出装置１８とが対角をなし、変更装置２０と変更装置２１とが対角をなすようにそれぞれ配置されている。以上の通り上階機械室７の蓋検出装置１５について説明したが、下階機械室８の蓋検出装置１６も同様に設けられている。
【００１８】
図３では、蓋１２は上階機械室７の出入口１０の正しい位置に取り付けられている。発光装置１７が発した光は、変更装置２０、機械室変更装置１９、変更装置２１を経由して検出装置１８にて検出される。検出装置１８で光が検出された情報が制御装置１４に伝わり、制御装置１４はエスカレーター１を通常運転するように制御する。
【００１９】
図５では、蓋１２が上階機械室７の出入口１０の正しい位置に取り付けられていない例として、ずれた状態で置かれている。発光装置１７が発した光は、出入口１０を通って上階機械室７の外へ向かい、検出装置１８では検出されない。検出装置１８で光が検出されないという情報が制御装置１４に伝わり、制御装置１４はエスカレーター１を停止するように制御する。
【００２０】
図６では、蓋１２は上階機械室７の出入口１０の正しい位置に取り付けられており、上階機械室７には保守員が入っている。発光装置１７が発した光は、保守員に遮られて検出装置１８にて検出されない。検出装置１８で光が検出されないという情報が制御装置１４に伝わり、制御装置１４はエスカレーター１を停止するように制御する。
【００２１】
このように構成された乗客コンベアの蓋検出装置によれば、蓋１２，１３が正しい位置に取り付けられて出入口１０，１１が閉じられている場合は検出装置１８で光を検出し、蓋１２，１３が取り外されて出入口１０，１１が開けられると検出装置１８で光を検出しなくなるので、機械室の出入口１０，１１を開閉する蓋１２，１３が開けられていることを確実に検出することができる。
【００２２】
また、蓋１２，１３が出入口１０，１１にずれた状態で置かれている場合でも確実に検出できる。さらに、光は、変更装置２０、機械室変更装置１９、変更装置２１を経由して検出装置１８に届くので、蓋１２，１３が出入口１０，１１の正しい位置から少しだけずれただけでも、光は検出装置１８で検出されなくなり、蓋１２，１３の少しのずれでも確実に検出できる。また、光は変更装置２０，２１と機械室変更装置１９を経由するので、蓋１２，１３が出入口１０，１１の正しい位置に取り付けられているときでも、機械室に保守員が入っている場合には保守員を検出することができる。
【００２３】
なお、本実施の形態では、１枚の蓋１２，１３でそれぞれ出入口１０，１１を開閉する場合で説明したが、複数枚の蓋で１つの出入口を開閉する場合にも本発明は適用できる。例えば２枚の蓋で１つの出入口を開閉する場合には、それぞれの蓋に変更装置を取り付ける。２枚の蓋を正しい位置に取り付けて出入口を閉じた状態で、発光装置から発した光は、１枚目の蓋の変更装置、機械室変更装置、２枚目の蓋の変更装置の順に経由して検出装置にて検出するようにしておく。これにより、保守員が１枚の蓋は閉じたまま、もう１枚の蓋だけを開いて機械室に入る場合に、検出装置が光を検出しなくなることにより蓋が開けられたことを検出できる。
【００２４】
また、本実施の形態では、変更装置２０，２１、機械室変更装置１９を設けた場合で説明したが、変更装置、機械室変更装置は設けずに、例えば機械室の床に発光装置を設け、蓋に検出装置を設け、発光装置が発した光を検出装置が直接受けて検出するようにしても蓋が開けられたことを確実に検出できる。
【００２５】
また、機械室の床に発光装置と検出装置とを設け、蓋に変更装置を設け、発光装置が発した光を変更装置を経由して検出装置にて検出するようにしても蓋が開けられたことを確実に検出できる。
【００２６】
また、発光装置、検出装置、機械室変更装置の設置場所は機械室の床に限られたものではなく、例えば壁や柱に設置してもよい。
【００２７】
また、蓋は、出入口に締結具で取り付けるものに限られていない。例えば出入口に設けた枠に嵌め込んでずれないようにした蓋でもよいし、蝶番を介して取り付ける蓋でもよい。
【００２８】
また、変更装置、機械室変更装置を構成するものとしては、反射部材に限られたものではなく、例えば光ファイバー、レンズ、プリズムなどを用いて構成してもよい。
【符号の説明】
【００２９】
１  エスカレーター、  ７  上階機械室、  ８  下階機械室、  １０，１１  出入口、  
１２，１３  蓋、  １５，１６  蓋検出装置、  １７  発光装置、  １８  検出装置、  
１９  機械室変更装置、  ２０，２１  変更装置
【図１】
2017019643.tif 000003
【図２】
2017019643.tif 000004
【図３】
2017019643.tif 000005
【図４】
2017019643.tif 000006
【図５】
2017019643.tif 000007
【図６】
2017019643.tif 000008